(57)【要約】【課題】燃料電池システムを起動可能な状態に維持する。【解決手段】発電する燃料電池スタック１１５と、燃料電池スタック１１５が発電する際に必要とされる補助機能を有する機器である補機１１９と、燃料電池スタック１１５の発電により充電され、補機１１９に電力を供給する補機バッテリ１１８と、各部を制御する制御部１１１とを備え、制御部１１１は、補機バッテリ１１８の充電量と放電量、及び、起動の指示を受けた後であって燃料電池スタック１１５が発電を開始する前の補機バッテリ１１８の起動前電圧を稼働データに保持し、燃料電池スタック１１５の停止状態において、稼働データを参照し、起動前電圧が閾値以下である場合、燃料電池スタック１１５を停止状態から発電状態にして、補機蓄電装置１１８を充電する。【選択図】図１
2020205168.tif 000002
【特許請求の範囲】
【請求項１】
発電する燃料電池スタックと、
前記燃料電池スタックが発電する際に必要とされる補助機能を有する機器である補機と、
前記燃料電池スタックの発電により充電され、前記補機に電力を供給する補機蓄電装置と、
前記燃料電池スタックを発電状態と停止状態とに制御する制御部と、
を備え、
前記制御部は、
前記補機蓄電装置の充電量と放電量、及び、起動の指示を受けた後であって前記燃料電池スタックが発電を開始する前の前記補機蓄電装置の起動前電圧を稼働データに保持し、
前記燃料電池スタックの停止状態において、前記稼働データを参照し、前記起動前電圧の最新の値が閾値以下である場合、前記燃料電池スタックを停止状態から発電状態にして、前記補機蓄電装置を充電する
燃料電池システム。
【請求項２】
前記制御部は、
前記補機蓄電装置の特性情報を前記稼働データに保持しており、
前記燃料電池スタックの停止状態において、前記稼働データに含まれる前記特性情報を参照し、
前記燃料電池スタックを起動して発電状態にすることができる状態を一定期間保つことが可能となる前記補機蓄電装置の充電目標電圧を求め、
前記補機蓄電装置の前記起動前電圧と前記充電目標電圧とから前記補機蓄電装置の充電時間を算出し、
前記燃料電池スタックを停止状態から発電状態にして、算出された前記充電時間の充電を前記補機蓄電装置にする
請求項１に記載の燃料電池システム。
【請求項３】
前記制御部は、前記燃料電池スタックの停止状態において、前記稼働データを参照し、前記補機蓄電装置の放電量が充電量より多い状態での稼働が所定日数以上連続し、前記起動前電圧の最新の値が閾値以下である場合、前記燃料電池スタックを停止状態から発電状態にして、前記補機蓄電装置を充電する
請求項１または請求項２に記載の燃料電池システム。
【請求項４】
前記制御部は、前記補機蓄電装置に充電した後に、前記燃料電池スタックを発電状態から停止状態にする、
請求項１から請求項３のいずれか一項に記載の燃料電池システム。
【請求項５】
産業車両の主負荷に電力を供給する経路に、前記主負荷と並列に接続された主蓄電装置を更に備え、
前記主蓄電装置はキャパシタである
請求項１から請求項４のいずれか一項に記載の燃料電池システム。
【発明の詳細な説明】
【技術分野】
【０００１】
この発明は、燃料電池システムに関する。
【背景技術】
【０００２】
フォークリフト、トーイングトラクタといった産業車両において、燃料電池システムを搭載したものが実用化されている。たとえば、燃料電池システムを搭載したフォークリフトは、電力供給源として燃料電池スタックを備え、主負荷として車両モータと荷役モータを備え、燃料電池スタックの補機としてコンプレッサ、水素供給弁、及び燃料電池スタックのラジエータなどを備えている。
【０００３】
そして、補機と制御部に電力を供給するため、燃料電池スタックにより充電される補機バッテリを備えている。補機バッテリは、補機としてのコンプレッサ、水素供給弁、ラジエータに付随するラジエータファンと冷却水ポンプ、制御部のほか、燃料電池システムの各部に設けられたリレーを駆動する。
【０００４】
このような産業車両の使用頻度が低い場合、または、補機バッテリへの充電量よりも放電量が多い状態での使用が多い場合、補機バッテリの電圧が低下し、上述したリレーを駆動できなくなり、燃料電池システムを起動できない状態に陥ることがある。
【０００５】
燃料電池システムを備える車両において、バッテリを充電することについて、以下の特許文献１に各種の提案がなされている。
【先行技術文献】
【特許文献】
【０００６】
【特許文献１】特表２０１３−５０８９１９号公報
【発明の概要】
【発明が解決しようとする課題】
【０００７】
上記特許文献１に記載の燃料電池システムは、走行モータと荷役モータとに電力を供給する主バッテリを効率よく充電するものである。このため、使用状況によって充電量が不足することがあり、非稼働状態で各部の暗電流により徐々に電圧が低下する補機バッテリについて、システムを起動することができる状態に保つことについては何ら配慮されていない。
【０００８】
この発明は、上記の問題に鑑みてなされたものであり、起動可能な状態を維持することができる燃料電池システムを提供することを目的とする。
【課題を解決するための手段】
【０００９】
上記の課題を解決するため、この発明に係る燃料電池システムは、発電する燃料電池スタックと、燃料電池スタックが発電する際に必要とされる補助機能を有する機器である補機と、燃料電池スタックの発電により充電され、補機に電力を供給する補機蓄電装置と、燃料電池スタックを発電状態と停止状態とに制御する制御部とを備え、制御部は、補機蓄電装置の充電量と放電量、及び、起動の指示を受けた後であって燃料電池スタックが発電を開始する前の補機蓄電装置の起動前電圧を稼働データに保持し、燃料電池スタックの停止状態において、稼働データを参照し、起動前電圧の最新の値が閾値以下である場合、燃料電池スタックを停止状態から発電状態にして、補機蓄電装置を充電する。
【００１０】
制御部は、補機蓄電装置の特性情報を稼働データに保持しており、燃料電池スタックの停止状態において、稼働データに含まれる特性情報を参照し、燃料電池スタックを起動して発電状態にすることができる状態を一定期間保つことが可能となる補機蓄電装置の充電目標電圧を求め、補機蓄電装置の起動前電圧と充電目標電圧とから補機蓄電装置の充電時間を算出し、燃料電池スタックを停止状態から発電状態にして、算出された充電時間の充電を補機蓄電装置にするようにしてもよい。
【００１１】
制御部は、燃料電池スタックの停止状態において、稼働データを参照し、補機蓄電装置の放電量が充電量より多い放電状態での稼働が所定日数以上連続し、起動前電圧の最新の値が閾値以下である場合、燃料電池スタックを停止状態から発電状態にして、補機蓄電装置を充電するようにしてもよい。
【００１２】
制御部は、補機蓄電装置に充電をした後に、燃料電池スタックを発電状態から停止状態にしてもよい。
【００１３】
産業車両の主負荷に電力を供給する経路に、主負荷と並列に接続された主蓄電装置を更に備え、主蓄電装置はキャパシタとしてもよい。
【発明の効果】
【００１４】
この発明に係る燃料電池システムによれば、燃料電池システムを起動可能な状態に維持することができる。
【図面の簡単な説明】
【００１５】
【図１】本発明の実施の形態１における燃料電池システムを適用した産業車両の構成を示す構成図である。
【図２】本発明の実施の形態１における燃料電池システムの動作を示すフローチャートである。
【図３】本発明の実施の形態１における燃料電池システムに含まれる補機バッテリの特性を示す特性図である。
【図４】本発明の実施の形態１における燃料電池システムの他の動作を示すフローチャートである。
【発明を実施するための形態】
【００１６】
以下、この発明による燃料電池システムを産業車両に適用した実施の形態につき、図面を用いて説明する。なお、各図において、同一部分には同一符号を付している。
【００１７】
実施の形態１．
はじめに、本発明の実施の形態１における燃料電池システム１１０を備えた産業車両１００の構成について、図１を参照して説明する。図１は、本発明の実施の形態１における燃料電池システム１１０を適用した産業車両１００の構成を示す構成図である。
【００１８】
［産業車両の構成］
図１に示される産業車両１００は、燃料電池システム１１０と、車両部１２０と、操作部１３０とを備える。
【００１９】
燃料電池システム１１０は、燃料電池システム制御部１１１と、水素タンク１１２と、コンプレッサ１１３と、水素供給弁１１４と、燃料電池スタック１１５と、ＤＣＤＣ変換部１１６Ａと、ＤＣＤＣ変換部１１６Ｂと、キャパシタ１１７と、補機バッテリ１１８と、補機１１９とを備える。
【００２０】
燃料電池システム制御部１１１は、燃料電池システム１１０に関連する各種制御を行うコントローラである。なお、燃料電池システム制御部１１１は、車両部１２０内の車両制御部１２１と互いに通信することが可能である。水素タンク１１２は、充填されている水素を燃料電池スタック１１５に供給する。コンプレッサ１１３は、燃料電池システム制御部１１１に制御され、酸素を含む空気を燃料電池スタック１１５に供給する。水素供給弁１１４は、燃料電池システム制御部１１１に制御され、水素タンク１１２から燃料電池スタック１１５に供給する水素ガス量を調整する。燃料電池スタック１１５は、燃料電池システム制御部１１１の制御に基づいて、水素供給弁１１４を介した水素タンク１１２からの水素とコンプレッサ１１３からの空気に含まれる酸素とにより発電を行う。
【００２１】
ＤＣＤＣ変換部１１６Ａは、燃料電池スタック１１５の発電出力を一定の電圧に変換する。たとえば、ＤＣＤＣ変換部１１６Ａは、電圧８０ボルトを電圧４８ボルトに変換する。ＤＣＤＣ変換部１１６Ａの電圧変換後の出力は、主機系電力として車両部１２０に供給される。
【００２２】
ＤＣＤＣ変換部１１６Ｂは、ＤＣＤＣ変換部１１６Ａで電圧変換された電力を更に一定の電圧に変換する。たとえば、ＤＣＤＣ変換部１１６Ｂは、電圧４８ボルトを電圧１２ボルトに変換する。ＤＣＤＣ変換部１１６Ｂの電圧変換後の出力は、補機系電力として補機バッテリ１１８と補機１１９に供給される。
【００２３】
キャパシタ１１７は、ＤＣＤＣ変換部１１６Ａの出力と並列に接続されて充電され、車両部１２０に瞬間的な大電流が流れる際に放電する。すなわち、キャパシタ１１７は、主負荷に電力を供給する経路に、主負荷と並列に接続された主蓄電装置を構成する。キャパシタ１１７は、電気２重層キャパシタ、リチウムイオン・キャパシタなどにより構成される。
【００２４】
補機バッテリ１１８は、鉛蓄電池、ニッケル水素電池、リチウムイオンバッテリなどで構成された補機蓄電装置であり、ＤＣＤＣ変換部１１６Ｂで変換された補機系電力により充電される。補機バッテリ１１８は、燃料電池システム制御部１１１、補機１１９、車両制御部１２１、及び図示されないリレーなどに補機系電力を供給する。
【００２５】
補機１１９は、補機バッテリ１１８から補機系電力の供給を受け、燃料電池スタック１１５が発電する際に必要な補助機能によって、燃料電池スタック１１５の発電の実行を補佐する機器である。具体的には、補機１１９は、コンプレッサ１１３、水素供給弁１１４、燃料電池スタック１１５に設けられるラジエータに付随するラジエータファン、及び冷却水ポンプなどが該当する。従って、発電に必要な補助機能としては、発電に必要な酸素を含む空気と水素の燃料電池スタック１１５への供給、及び燃料電池スタック１１５の冷却などが該当する。
【００２６】
車両部１２０は、車両制御部１２１と、車両負荷１２２とを有する。車両制御部１２１は、ＥＣＵ（Electronic Control Unit）等により構成され、操作部１３０で受け付けた操作に対応し、車両負荷１２２の動作を制御する。車両部１２０において、走行モータと荷役モータとの車両負荷１２２は主負荷に相当し、燃料電池システム１１０から主機系電力の供給を受ける。
【００２７】
走行モータは、操作部１３０での操作と車両制御部１２１の制御とにより、産業車両１００の駆動輪を駆動し、産業車両１００を走行状態にする。産業車両１００がフォークリフトである場合、操作部１３０での操作と車両制御部１２１の制御とにより、荷役モータはフォークの上げ下げを駆動する。
【００２８】
操作部１３０は、キースイッチ１３１と、アクセルペダル１３２と、ブレーキペダル１３３と、リフトレバー１３４と、チルトレバー１３５とを備える。
【００２９】
キースイッチ１３１がオンされると、燃料電池システム制御部１１１の制御により燃料電池システム１１０が起動して稼働状態になり、産業車両１００が使用可能状態になる。また、キースイッチ１３１がオフにされると、燃料電池システム制御部１１１の制御により燃料電池システム１１０が停止して非稼働状態になり、産業車両１００が使用停止状態になる。
【００３０】
アクセルペダル１３２が操作されると、車両制御部１２１により車両負荷１２２中の走行モータに電力が供給され、産業車両１００が走行状態になる。ブレーキペダル１３３が操作されると、車両制御部１２１により車両負荷１２２中の走行モータに電力供給が遮断され、産業車両１００が停止状態になる。
【００３１】
リフトレバー１３４が操作されると、車両制御部１２１により車両負荷１２２中の荷役モータに電力が供給され、フォークが上下方向に移動する。チルトレバー１３５が操作されると、車両制御部１２１により車両負荷１２２中の荷役モータに電力が供給され、フォークの傾きが変えられる。
【００３２】
［燃料電池システム制御部の特徴］
以上の説明に加え、燃料電池システム制御部１１１は以下のような制御を行うことを特徴とする。
【００３３】
燃料電池システム制御部１１１は、補機バッテリ１１８の充電量と放電量、及び、起動の指示を受けた後であって燃料電池スタック１１５が発電を開始する前の補機バッテリ１１８の起動前電圧を稼働データに保持する。燃料電池システム制御部１１１は、稼働データを参照し、起動前電圧の最新の値が閾値以下である場合、燃料電池システム１１０を非稼働状態から稼働状態、すなわち、燃料電池スタック１１５を停止状態から発電状態にして、補機バッテリ１１８を充電する。
【００３４】
燃料電池システム制御部１１１は、補機バッテリ１１８の後述する特性情報を稼働データに保持しておく。燃料電池システム制御部１１１は、補機バッテリ１１８の特性情報を参照し、燃料電池システム１１０を起動して稼働状態にすることができる状態を一定期間保つ、すなわち後述するｎ日保てる補機バッテリ１１８の充電目標電圧を求める。燃料電池システム制御部１１１は、補機バッテリ１１８の起動前電圧と充電目標電圧とから補機バッテリ１１８の充電時間を算出する。燃料電池システム制御部１１１は、燃料電池システム１１０を稼働状態にして、算出された充電時間の充電を補機バッテリ１１８に実行する。
【００３５】
燃料電池システム制御部１１１は、補機バッテリ１１８の放電量が充電量より多い放電状態での稼働が所定日数以上連続、すなわち、後述する複数ｍ日以上連続している場合、燃料電池システム１１０を稼働状態にして、補機バッテリ１１８を充電する。
【００３６】
燃料電池システム制御部１１１は、燃料電池システム１１０を稼働状態にして、算出された充電時間の充電を補機バッテリ１１８にした後に、燃料電池システム１１０を稼働状態から非稼働状態にする。
【００３７】
［動作］
次に、本発明の実施の形態１における燃料電池システム１１０の動作について、図２を参照して説明する。図２は、本発明の実施の形態１における燃料電池システム１１０の動作を示すフローチャートである。
【００３８】
前提として、燃料電池システム制御部１１１は、燃料電池システム１１０の起動から停止に至る稼働状態の各部の状況、補機バッテリ１１８の充電量と放電量、及び、キースイッチ１３１による起動の指示に基づいて各部がオン状態になって燃料電池スタック１１５が発電を開始する前の補機バッテリ１１８の起動前電圧、を時刻情報と共に稼働データに保持している。なお、燃料電池スタック１１５が発電を開始すると、補機バッテリ１１８の端子電圧はＤＣＤＣ変換部１１６Ｂの出力電圧と同等になる。このため、燃料電池システム制御部１１１は、キースイッチ１３１による起動指示の後で、補機バッテリ１１８が各部に電力を供給し、燃料電池スタック１１５が発電を開始する前の補機バッテリ１１８の端子電圧、すなわち、起動前電圧を稼働データとして起動毎に保持する。
【００３９】
燃料電池システム制御部１１１は、予め定められた時刻、または、過去の履歴により燃料電池システム１１０が他の時間帯よりも高い確率で非稼働状態になっている時間帯を、補機バッテリ確認タイミングとして定めておく。なお、後述する補機バッテリ１１８への充電に要する時間も考慮して補機バッテリ確認タイミングを定めることが望ましい。
【００４０】
ステップＳ１００において、燃料電池システム制御部１１１は、現在時刻が補機バッテリ１１８を確認するタイミングであるかを確認する。現在時刻が補機バッテリ１１８を確認するタイミングに達した時点で、処理がステップＳ１０１へと進む。一方、現在時刻が補機バッテリ１１８を確認するタイミングでなければ、確認するタイミングが来るまで確認を続ける。
【００４１】
ステップＳ１０１において、燃料電池システム制御部１１１は、直近の記録、例えば過去１週間の記録が稼働データに含まれているかを確認する。以下、過去の所定日数分の記録を「直近の記録」と言う。なお、補機バッテリ１１８の充放電状態を確認するためであり、過去５日〜１０日程度の記録であればよい。ここで、稼働データに含まれる記録としては、たとえば、補機バッテリ１１８の起動前電圧のデータが該当する。稼働データに直近の記録が含まれていれば、処理がステップＳ１０２へと進む。一方、稼働データに直近の記録が含まれていなければ、処理がステップＳ１０５へと進む。
【００４２】
ステップＳ１０２において、燃料電池システム制御部１１１は、直近の稼働データに含まれる補機バッテリ１１８の起動前電圧が所定の閾値以下であるか否かを確認する。なお、この所定の閾値は、直近の稼働データに含まれる起動前電圧を参照して、補機バッテリ１１８に対して充電が不要な状態にあるか、充電が必要な状態にあるか、を確認するための値である。
【００４３】
補機バッテリ１１８の起動前電圧が所定の閾値を超えていれば、燃料電池システム制御部１１１は、フローチャートに示される処理を終了する。一方、補機バッテリ１１８の起動前電圧が所定の閾値以下であれば、処理がステップＳ１０３へと進む。
【００４４】
ステップＳ１０３において、燃料電池システム制御部１１１は、稼働データを参照し、稼働日１日あたりの補機バッテリ１１８の充電量と放電量とを比較する。この後、処理がステップＳ１０４へと進む。
【００４５】
ステップＳ１０４において、燃料電池システム制御部１１１は、ステップＳ１０３での比較結果を参照し、補機バッテリ１１８の放電量が充電量より多い状態での稼働が所定日数、すなわち、複数ｍ日数以上連続しているかを確認する。
【００４６】
放電量が充電量より多い状態の稼働日が連続していると補機バッテリ１１８の電圧低下が進行する傾向があるため、放電量が充電量より多い状態の稼働日が複数日連続することを確認している。このため、ｍ＝２またはｍ＝３とすることが望ましい。ｍを大きく設定すると充電する回数を減らすことができる。一方、ｍをあまり大きく設定すると補機バッテリ１１８の電圧低下が進行してしまって、燃料電池システム１１０を起動できず、後述する充電を実行できない可能性がある。
【００４７】
ステップＳ１０４において、補機バッテリ１１８の放電量が充電量より多い状態での稼働が所定のｍ日数以上連続していると確認されれば、処理がステップＳ１０７へと進む。一方、ステップＳ１０４において、補機バッテリ１１８の放電量が充電量より多い状態での稼働が所定のｍ日数以上連続していると確認されなければ、フローチャートに示される処理を終了する。
【００４８】
上述したステップＳ１０１において稼働データに直近の記録が含まれていない場合、処理がステップＳ１０５へと進む。ステップＳ１０５において、燃料電池システム制御部１１１は、稼働データに含まれる補機バッテリ１１８の起動前電圧の最終履歴を参照して現時点の起動前電圧を推定する。なお、燃料電池システム制御部１１１は、予め用意された計算式またはルックアップテーブルなどを用いて起動前電圧を推定する。この後、処理がステップＳ１０６へと進む。
【００４９】
ステップＳ１０６において、燃料電池システム制御部１１１は、推定された起動前電圧が所定の閾値以下であるか否かを確認する。なお、このステップＳ１０６における所定の閾値は、ステップＳ１０２の閾値と同じであってもよいし、別の閾値を設けてもよい。推定された起動前電圧が閾値を超えていれば、燃料電池システム制御部１１１は、フローチャートに示される処理を終了する。一方、推定された現時点の起動前電圧が閾値以下であれば、処理がステップＳ１０７へと進む。
【００５０】
ステップＳ１０７において、燃料電池システム制御部１１１は、稼働データに保持している補機バッテリ１１８の特性情報を参照し、以下の演算を行う。
【００５１】
ここで、補機バッテリ１１８の特性情報とは、放電量が充電量より多い状態での経過日数と、バッテリ電圧とを示す特性図である。たとえば、図３の特性図において、横軸は放電量が充電量より多い状態での経過日数であり、縦軸は経過日数に応じたバッテリ電圧を示している。
【００５２】
図３において、Ｖｌｏｗは、燃料電池システム１１０を起動することができる最低電圧、すなわち使用可能最低電圧を示す。図３の横軸は、使用可能最低電圧になる日を（０）として、１日前を−１、２日前を−２、のように逆算して示している。図３の縦軸は、使用可能最低電圧になる日の電圧をＶＴ（０）、使用可能最低電圧になる日の１日前の電圧をＶＴ（１）、２日前の電圧をＶＴ（２）、のように示している。なお、この図３に示した電圧と日数とは、実施の形態１を説明するための一例に過ぎない。
【００５３】
［演算（１）］
まず、燃料電池システム制御部１１１は、補機バッテリ１１８の放電量が充電量より多い状態が一定期間、すなわち所定のｎ日数以上連続しても、燃料電池システム１１０を起動して稼働状態にできる補機バッテリ１１８の充電目標電圧ＶＴ（ｎ）を求める。図３の特性図において、ｎ＝６とした場合、ＶＴ（６）が充電目標電圧になる。なお、補機バッテリ１１８の放電量が充電量より多い状態とは、具体的には、放電量が充電量より多い状態での稼働、及び非稼働のいずれかである。
【００５４】
ここで、充電目標電圧を求めるのに用いる際に、「補機バッテリ１１８の放電量が充電量より多い状態が所定のｎ日数以上連続」と想定する「ｎ」については、産業車両１００の使用状況に応じて定めることが望ましい。例えば、以上のｎは、稼働データに含まれる産業車両１００の使用状況に応じて燃料電池システム制御部１１１が定めてもよいし、予め初期値により定めてもよいし、ユーザが自ら設定してもよい。
【００５５】
ユーザの使用状況において、補機バッテリ１１８の放電量が充電量より多い状態が最大でｄ日連続する場合、ｎ＝ｄ＋１と設定することで、燃料電池システム１１０を起動して稼働状態できる状態を保つことが可能になる。なお、ｎを大きく設定する、本実施の形態１による充電回数を減らすことができる。一方、ｎを小さく設定すると、実施の形態１による充電１回あたりの充電時間を減らすことができる。
【００５６】
［演算（２）］
次に、燃料電池システム制御部１１１は、直近の稼働データに含まれる補機バッテリ１１８の起動前電圧と、上述した演算（１）で求めた充電目標電圧とから、補機バッテリ１１８の充電時間を算出する。なお、燃料電池システム制御部１１１は、稼働データに保持している補機バッテリ１１８の特性情報を参照し、補機バッテリ１１８の充電時間を算出する。以上の演算（１）と演算（２）により充電時間が算出されると、処理がステップＳ１０８へと進む。
【００５７】
ステップＳ１０８において、燃料電池システム制御部１１１は、燃料電池システム１１０を非稼働状態から稼働状態にして、燃料電池スタック１１５が発電するように制御する。燃料電池システム１１０が稼働状態になると、処理がステップＳ１０９へと進む。
【００５８】
ステップＳ１０９において、燃料電池システム制御部１１１は、ＤＣＤＣ変換部１１６Ｂの出力により補機バッテリ１１８が充電されるように、燃料電池スタック１１５の発電状態を制御する。このステップＳ１０９において、燃料電池システム制御部１１１は、燃料電池スタック１１５の発電により補機バッテリ１１８に充電中であることを、表示部で表示してもよい。この発電状態において、処理はステップＳ１１０へと進む。
【００５９】
ステップＳ１１０において、燃料電池システム制御部１１１は、算出された充電時間が経過するまで補機バッテリ１１８の充電が継続するように、監視している。すなわち、この充電状態において、燃料電池システム制御部１１１は、ステップＳ１０９の処理とステップＳ１１０の処理とを繰り返している。そして、算出された充電時間が経過すると、処理はステップＳ１１１へと進む。
【００６０】
ステップＳ１１１において、燃料電池システム制御部１１１は、燃料電池スタック１１５の発電を停止させ、燃料電池システム１１０を稼働状態から非稼働状態にする。すなわち、燃料電池スタック１１５を発電状態から停止状態にする。そして、燃料電池システム制御部１１１は、フローチャートに示される処理を終了する。この際、燃料電池システム制御部１１１は、以上の補機バッテリ１１８の充電の情報を稼働データに記録しておく。
【００６１】
以上説明した燃料電池システム１１０は、産業車両１００の車両負荷１２２に主機系電力を供給する経路に、キャパシタ１１７が接続されている。このキャパシタ１１７は、電気２重層キャパシタ、リチウムイオン・キャパシタなどで構成され、車両負荷１２２に瞬間的な大電流が流れる際に放電し、電圧降下が発生しないように作用する。
【００６２】
一方、キャパシタ１１７は、鉛蓄電池、ニッケル水素電池、リチウムイオンバッテリなどの各種バッテリに比べて低容量である。したがって、キャパシタ１１７から補機バッテリ１１８を充電することはできない。このため、燃料電池システム１１０を稼働状態にして、燃料電池スタック１１５の発電によって補機バッテリ１１８を充電することが、キャパシタ１１７を有する産業車両１００において重要である。
【００６３】
以上説明したように、この発明の実施の形態１に係る燃料電池システム１１０では、定期的に補機バッテリ１１８の状態を確認し、非稼働状態にあっても必要に応じて燃料電池システム１１０を稼働状態にして、燃料電池スタック１１５の発電によって補機バッテリ１１８を充電する。これにより、補機バッテリ１１８の端子電圧が使用可能最低電圧以下になることを予防し、燃料電池システム１１０を起動可能な状態に維持し続けることができる。
【００６４】
以上の補機バッテリ１１８の状態の確認と充電は、産業車両１００が使用されていない期間に自動的に実行される。したがって、ユーザが何ら意識する必要がなく、補機バッテリ１１８が良好な状態に保たれる。
【００６５】
その他の実施の形態．
本発明の実施の形態１における燃料電池システム１１０の他の動作について、図４を参照して説明する。図４は、本発明の実施の形態１における燃料電池システム１１０の他の動作を示すフローチャートである。図４のフローチャートにおいて、既に説明した図２のフローチャートと同じ処理内容については同じステップ番号を付している。よって、図４のフローチャートの処理内容について、図２のフローチャートと異なる部分を詳細に説明する。
【００６６】
ステップＳ１０２において、燃料電池システム制御部１１１は、直近の稼働データに含まれる補機バッテリ１１８の起動前電圧が所定の閾値以下であるか否かを確認する。補機バッテリ１１８の起動前電圧が所定の閾値以下であって補機バッテリ１１８に充電が必要な状態であれば、処理がステップＳ１０７へと進む。
【００６７】
ステップＳ１０７において、燃料電池システム制御部１１１は、直近の稼働データに含まれる補機バッテリ１１８の起動前電圧と、求めた充電目標電圧とから、補機バッテリ１１８の充電時間を算出する。
【００６８】
この図４のフローチャートに示す動作によると、図２のフローチャートにおけるステップＳ１０３とＳ１０４の処理を省略できるため、補機バッテリ１１８を充電するか否かを少ない演算量で高速に判定することができる。一方、図４のフローチャートに示す動作によると、ステップＳ１０３とＳ１０４の比較判定処理によって補機バッテリ１１８の充電の必要性を細かく判断することができるため、補機バッテリ１１８を充電する回数を減らすことができる。
【００６９】
また、以上の実施の形態１により補機バッテリ１１８を充電中に、ユーザによりキースイッチ１３１の操作があった場合、燃料電池システム制御部１１１はユーザの操作を優先し、操作部１３０からの操作に応じて産業車両１００の動作を実行する。したがって、ユーザは、補機バッテリ１１８の充電の実行と中断を何ら意識せず、通常の産業車両１００の動作を開始することができる。この際、燃料電池システム制御部１１１は、以上の補機バッテリ１１８の充電の実行と中断の情報を稼働データに記録しておく。
【符号の説明】
【００７０】
１００  産業車両、１１０  燃料電池システム、１１１  燃料電池システム制御部（制御部）、１１２  水素タンク、１１３  コンプレッサ、１１４  水素供給弁、１１５  燃料電池スタック、１１６Ａ  ＤＣＤＣ変換部、１１６Ｂ  ＤＣＤＣ変換部、１１７  キャパシタ（主蓄電装置）、  １１８  補機バッテリ（補機蓄電装置）、１１９  補機、１２０  車両部、１２１  車両制御部、１２２  車両負荷、１３０  操作部、１３１  キースイッチ、１３２  アクセルペダル、１３３  ブレーキペダル、１３４  リフトレバー、１３５  チルトレバー。
【図１】
2020205168.tif 000003
【図２】
2020205168.tif 000004
【図３】
2020205168.tif 000005
【図４】
2020205168.tif 000006